(57)【要約】【課題】  後方に荷台を有し車幅方向に大小に分割形成され、その各シートバックの内、外側に各々リクライニングデバイスを有するシートバックにおいて、その内、外のリクライニングデバイスとも最適な強度をもつものに設定できるようにすることである。【手段】  車幅方向に、左右に分割形成した大シートバック部１と小シートバック部２は、そのフレームを構成する補強メンバー１１、２１が車幅方向の中央を中心に対称状に配設したことを特徴とする。【選択図】  図１
2005313723.tif 000002
【特許請求の範囲】
【請求項１】
シートバックを車幅方向に大小に分割して大シートバック部と小シートバック部を形成し、その各々の外側を車体にリクライニングデバイスで連結し、且つ車幅方向の中央を対称に、各シートバック部を構成するフレームに、補強メンバーを配設すると共に、各シートバック部を連結シャフトに、リクライニングデバイスで取付けてなるシートバックのフレーム構造。
【請求項２】
前記補強メンバーは、バックパネルの前面に溶接した断面コ字状の支杆と、この支杆内に溶接した前後方向に凹凸状の吸収プレートとからなる請求項１記載のシートバックのフレーム構造。
【請求項３】
前記大シートバック部は前記補強メンバーに対して小シートバック側である外側のフレーム構造体を、内側のフレーム構造体に対して、強度を弱く形成してなる請求項１記載のシートバックのフレーム構造。
【発明の詳細な説明】
【技術分野】
【０００１】
本発明は自動車用シートにおけるシートバックのフレーム構造、詳しくは後方に荷物を載置する荷台を有するシートバックのフレーム構造に関する。
【背景技術】
【０００２】
従来のシートバックには、例えば、特開２０００ー１０６９７２号公報に示すように、シートバックが車幅方向に分割され、各シートバックの車幅方向側を直接車体に揺動自在に取付けたものがある。これは、各シートバックに、例えばそのシートバックの後方に有する荷台の荷物が、車両に急激な衝撃荷重が作用し、その慣性力によってシートバックの背面に衝突した場合に、各シートバックに加わる衝撃を車体側で吸収している。  
【０００３】
【特許文献１】特開２０００ー１０６９７２号公報
【発明の開示】
【発明が解決しようとする課題】
【０００４】
ところで、荷台面がシートバックの上部に位置し、シートバックが車幅方向に大小に分割されて、分割された各シートバックの内側及び外側に各々リクライニングデバイスを設けたものにおいては、両シートバックの内側に荷物が前記慣性力によって衝突すると、車体への取付ポイントの関係からその入力荷重は内側が外側に対して大きい。
【０００５】
それに対応するために、各リクライニングデバイスの強度を内側のリクライニングデバイスに合わせる必要がある。そのため、外側のリクライニングデバイスの強度が過剰になる不具合があった。
【０００６】
そこで、本発明は分割した各シートバックの内側及び外側のリクライニングデバイスに均等に前記入力荷重が入力されるようにすることにより、内、外のリクライニングデバイスが最適な強度を持つものに設定できるようにすることを目的とする。
【課題を解決するための手段】
【０００７】
以上の目的を達成するための本発明に係るシートバックのフレーム構造は、シートバックを車幅方向に大小に分割して大シートバック部と小シートバック部を形成し、その各々の外側を車体にリクライニングデバイスで連結し、且つ車幅方向の中央を対称に、各シートバック部を構成するフレームに、補強メンバーを配設すると共に、各シートバック部を連結シャフトに、リクライニングデバイスで取付けてなる構成である。
【０００８】
以上の構成により、車幅方向の左右に分割形成した大、小シートバック部に、衝撃荷重が均等に入力される。
【０００９】
また、前記補強メンバーは、バックパネルの前面に溶接した断面コ字状の支杆と、この支杆内に溶接した前後方向に凹凸状の吸収プレートとから構成することにより、衝撃荷重を吸収できる。
【００１０】
加えて、前記大シートバック内における前記補強メンバーに対して小シートバック側である外側のフレーム構造体を、内側のフレーム構造体に対して、強度を弱く形成することにより、大、小シートバック部に更に衝撃荷重が均等に入力される。
【発明の効果】
【００１１】
本発明によれば、大、小シートバック部及び各シートバックの内側及び外側のリクライニングデバイスに均等に衝撃荷重が入力されるため、各リクライニングデバイスを最適な強度のものに設定できる。
【発明を実施するための最良の形態】
【００１２】
以下、本発明の一実施例を図面に基づいて説明する。
【００１３】
図１は本発明に係るシートバックのフレーム構造を示し、このフレーム構造を有するシートバックは図３に示すように、車幅方向の幅Ｗ1が広い大シートバック部Ａと、幅Ｗ2が狭い小シートバック部Ｂとから構成されている。
【００１４】
図３において、図中Ｃはシートクッションで、大、小シートバック部Ａ、Ｂの後方は、荷物Ｅ、Ｄを載置する荷台Ｆであり、この荷台Ｆの高さは図４に示すように、各シートバック部Ａ、Ｂの上部に位置しているため、衝撃時には各シートバック部Ａ、Ｂの背面上部に衝突する。
【００１５】
大シートバック部Ａを構成する大フレーム１と小シートバック部Ｂを構成する小フレーム２は各々バックパネル１０、２０と、縦方向に設けた補強メンバー１１、１１′、２１、２１′と、この補強メンバー１１、１１′、２１と２１′とを連結する上部メンバー１３、２３及び下部メンバー１４、２４などから構成されている。
【００１６】
そして、大フレーム１の補強メンバー１１、１１′と小フレーム２の補強メンバー２１、２１′は、車幅方向の中央である中心線Ｔを対称に配設されている。
【００１７】
従って、中心線Ｔから補強メンバー１１、２１までの距離Ｗ3、Ｗ3は同一で、また、中心線Ｔから各外側のフレームまでの距離Ｗ4、Ｗ4も同一に形成されている。
【００１８】
以上の補強メンバー１１、２１は共に、図２に示すようにコ字状の断面を有する支杆１１Ａと、この支杆１１Ａ内に溶接した吸収プレート１１Ｂとから構成されている。
【００１９】
支杆１１Ａはその一側面がバックパネル１０に溶接され、上端が前記角パイプからなる上部メンバー１３に溶接されている。また、吸収プレート１１Ｂは支杆１１Ａの上部側がバックパネル１０方向から前方に膨出するように波形に形成して、バックパネル１０に加わった図３に示す矢印方向の衝撃荷重を吸収できるようにしてリクライニングデバイスＲへの入力を低減させている。
【００２０】
なお、この吸収プレート１１Ｂは、支杆１１Ａの内面にバックパネル１０と共に溶接され、下部には丸パイプ製の下部メンバー１４が溶接されている。
【００２１】
そして、各補強メンバー１１、２１の最下端はリクライニングデバイスＲ、Ｒを介して連結シャフト３に連結されている。連結シャフト３は大径のパイプを使用している。これは荷台Ｆが高いため、衝撃時にシートに入力される荷重が高くなるためである。
【００２２】
一方、各外側の補強メンバー１１′、２１′の最下端はリクライニングデバイスＲ′、Ｒ′を介して車体側のレッグ３０、３０に連結して、衝撃荷重が入力されて連結シャフト３が回転しても各外側のリクライニングデバイスＲ′、Ｒ′によるロックが解除されることがないようにしている。
【００２３】
また、大、小シートバック部Ａ、Ｂに前記荷物Ｄ、Ｅの衝突による荷重が均等に入力されるように、大フレーム１の補強メンバー１１、１１′間のフレーム構造体に対して小フレーム２側のフレーム構造体はその強度を弱く形成している。
【００２４】
即ち、図示するように大フレーム１の小フレーム２側のフレーム構造体は、バックパネル１０に細いパイプを略Ｕ字状に折曲したサブフレーム１７と、このサブフレーム１７の両遊端を連結する連結パイプ１６と連結パイプ１６の両端に溶接した支持杆１８、１９と、サブフレーム１７の補強メンバー１１側に配設したサブサイドフレーム１１Ａとから構成している。
【００２５】
従って、本発明は大、小シートバック部Ａ、Ｂに荷物Ｄ、Ｅが衝突した際に、大フレーム１、小フレーム２を構成するフレーム構造体の補強部材に均等に前記衝突時の荷重が入力されるように構成されている。
【００２６】
そのため、内、外側のリクライニングデバイスＲ、Ｒ′はともに最適な強度を有するものに設定できる。
【００２７】
しかも、連結シャフト３に大、小フレーム１、２の各内側のリクライニングデバイスＲ、Ｒを取付け、大、小フレーム１、２の外側を車体側に取付けているため、前記衝撃荷重が大、小フレーム１、２の内側へ集中的に入力されることもない。
【００２８】
なお、本発明は車幅方向の中心線Ｔを対称に補強メンバーを均一に配設すれば良く、図示するものに限定されるものでない。
【図面の簡単な説明】
【００２９】
【図１】本発明の要部の平面図である。
【図２】図１のIIーII線断面図である。
【図３】本発明を採用する自動車用シートの斜視図である。
【図４】同側面図である。
【符号の説明】
【００３０】
Ａ…大シートバック部、Ｂ…小シートバック部、１１…補強メンバー、２１…補強メンバー、１１Ａ…支杆、１１Ｂ…吸収プレート、Ｒ…リクライニングデバイス、Ｒ′…リクライニングデバイス
【図１】
2005313723.tif 000003
【図２】
2005313723.tif 000004
【図３】
2005313723.tif 000005
【図４】
2005313723.tif 000006